(57)【要約】【課題】  建築物等の外壁にある点検箇所の打診を簡単な操作で行う。【解決手段】  点検箇所を指定するための入力をユーザインタフェース装置にて受け付ける。ユーザインタフェース装置での入力及びその現在位置に基づいて、移動ロボット装置が自律的に飛行して点検箇所に移動する。移動ロボット装置は打診手段等の点検手段を用いて点検箇所を点検する。【選択図】  図１
2017227632.tif 000002
【特許請求の範囲】
【請求項１】
移動ロボット装置、ユーザインタフェース装置、及び、前記移動ロボット装置の現在位置を取得するための位置取得手段を備え、
前記移動ロボット装置は、
変状箇所に打撃を加えて点検箇所を点検する打診手段を少なくとも含む点検手段、
前記移動ロボット装置を飛行させる飛行手段、
前記ユーザインタフェース装置を介して指定された点検箇所と、前記位置取得手段にて取得した現在位置とに基づいて、前記移動ロボット装置の現在位置と前記点検箇所の位置関係を示す地図データを生成する地図生成手段、及び、
前記現在位置及び前記地図データに基づいて前記飛行手段を制御することにより、前記点検手段を用いて前記点検箇所の点検を実行可能な位置に、前記移動ロボット装置を自律的に移動させる自律制御手段を備え、
前記ユーザインタフェース装置は、
ユーザによる前記点検箇所位置の入力を受け付ける点検箇所入力手段、及び、
点検箇所位置と前記点検手段の出力とを互いに関連付けて記録する点検結果記録手段を備える点検システム。
【請求項２】
前記打診手段に加えて、可視カメラ、赤外カメラ、超音波センサ、振動センサ、力覚センサ、レーダセンサの少なくともひとつを点検手段として備える、請求項１に記載の点検システム。
【請求項３】
前記位置取得手段は、慣性計測装置、レーザスキャナ、GPS(Global Positioning System)受信機、トータルステーションの少なくともひとつを備え、
前記位置取得手段の少なくとも一部は、前記移動ロボット装置に搭載される請求項１又は請求項２に記載の点検システム。
【請求項４】
前記打診手段は、
前記点検箇所に衝突するハンマと、
前記ハンマを駆動して、前記点検個所に衝突させるアクチュエータと、
前記ハンマが前記点検箇所に衝突したときの影響を測定するための打診センサと
を備える、請求項１乃至請求項３のいずれかに記載の点検システム。
【請求項５】
前記打診センサは、
前記ハンマが前記点検箇所に衝突したときに発生する音を集音するためのマイクロフォン、
前記ハンマが前記点検箇所に衝突したときに前記点検箇所に発生する振動を測定するための振動センサ、
前記ハンマが前記点検箇所に衝突したときに前記点検箇所を介して伝達される力の大きさを測定するための力覚センサ
のうち、少なくともひとつを備える、請求項４に記載の点検システム。
【請求項６】
ユーザインタフェース装置、及び、当該移動ロボット装置の現在位置を取得するための位置取得手段と共に用いる移動ロボット装置であって、
変状箇所に打撃を加えて点検箇所を点検する打診手段を少なくとも含む点検手段、
前記移動ロボット装置を飛行させる飛行手段、
前記ユーザインタフェース装置を介して指定された点検箇所と、前記位置取得手段にて取得した現在位置とに基づいて、前記移動ロボット装置の現在位置と前記点検箇所の位置関係を示す地図データを生成する地図生成手段、及び、
前記現在位置及び前記地図データに基づいて前記飛行手段を制御することにより、前記点検手段を用いて前記点検箇所の点検を実行可能な位置に、前記移動ロボット装置を自律的に移動させる自律制御手段を備え、
前記ユーザインタフェース装置は、
ユーザによる前記点検箇所位置の入力を受け付ける点検箇所入力手段、及び、
点検箇所位置と前記点検手段の出力とを互いに関連付けて記録する点検結果記録手段を備える
移動ロボット装置。
【請求項７】
前記打診手段に加えて、可視カメラ、赤外カメラ、超音波センサ、振動センサ、力覚センサ、レーダセンサの少なくともひとつを点検手段として備える、請求項６に記載の移動ロボット装置。
【請求項８】
前記位置取得手段は、慣性計測装置、レーザスキャナ、GPS(Global Positioning System)受信機、トータルステーションの少なくともひとつを備え、
前記位置取得手段の少なくとも一部は、前記移動ロボット装置に搭載される
請求項６又は請求項７に記載の移動ロボット装置。
【請求項９】
前記打診手段は、
前記点検箇所に衝突するハンマと、
前記ハンマを駆動して、前記点検個所に衝突させるアクチュエータと、
前記ハンマが前記点検箇所に衝突したときの影響を測定するための打診センサと
を備える、請求項６乃至請求項８のいずれかに記載の移動ロボット装置。
【請求項１０】
点検箇所を指定するための入力をユーザインタフェース装置にて受け付ける段階、
前記ユーザインタフェース装置での入力、及び、前記移動ロボット装置の現在位置に基づいて、移動ロボット装置が自律的に飛行し、前記点検箇所に移動する段階、及び、
前記移動ロボット装置が備える打診手段を含む一乃至複数の点検手段を用いて、前記点検箇所を点検する段階を含む点検方法。
【発明の詳細な説明】
【技術分野】
【０００１】
本発明は、トンネルや橋梁等の構造物、建造物を点検するためのシステム及び方法に関する。
【背景技術】
【０００２】
移動体を用いてトンネルや橋梁等の構造物の壁面の欠陥検査を行う技術として例えば特許文献１に記載の外壁浮き検知システムがある。このシステムは、屋外に配置される検知装置と、検知装置を遠隔操作する監視・操縦装置からなる。検知装置はラジコンヘリコプター等の移動飛行体に搭載される。移動飛行体は、監視・操縦装置から送信される制御信号を受信する移動飛行体操縦受信機を備えると共に、打音検査のための打診器、集音装置、打診音送信器を備える。一方、監視・操縦装置は移動飛行体操縦送信器、打診音受信機、スピーカを備える。利用者は、監視・操縦装置を用いて移動飛行体を遠隔操作し、打診器を用いて点検対象を打診する。打診により点検対象が発した音を集音装置にて集音し、打診音送信器、打診音受信機を経て、スピーカにて再生する。これにより、利用者は、点検対象に接近することなく、打診音を聞いて点検箇所の変状の有無を判断することができる。
【先行技術文献】
【特許文献】
【０００３】
【特許文献１】特開２０１２−１４５３４６号公報
【発明の概要】
【発明が解決しようとする課題】
【０００４】
特許文献１によれば、移動飛行体を点検対象に接近させる際、利用者が移動飛行体を遠隔操縦する必要がある。このため、特許文献１によれば、利用者は、点検箇所の打診が目的であるにも関わらず、移動飛行体を遠隔操縦する技量をある程度要求される。その結果、特許文献１のシステムは利用者をある程度選ぶことになっていた。トンネルや橋梁の周辺は必ずしもラジコンヘリコプター等の操縦に適した環境ではなく、むしろ操縦に不向きな環境の場合もある。こうした場合は特に、高い技量を有する一部の者しか点検作業を行うことができない。また、こうした場合に、一般的な技量を有する者が点検作業を行うと、所望の点検箇所に移動飛行体を誘導するためだけに時間を要し、その結果、点検作業が全体として長時間化する。
【０００５】
本発明はこのような状況に鑑みてなされたものであり、本発明が解決しようとする課題は、トンネル、橋梁等の構造体、高層ビル等の建築物等の外壁を、打診器を備える移動飛行体を用いて打診する際、簡単な操作で所望の点検箇所の打診を行うことが可能となる技術を提供することである。
【課題を解決するための手段】
【０００６】
上述の課題を解決するため、本発明は、その一態様として、移動ロボット装置、ユーザインタフェース装置、及び、前記移動ロボット装置の現在位置を取得するための位置取得手段を備え、前記移動ロボット装置は、変状箇所に打撃を加えて点検箇所を点検する打診手段を少なくとも含む点検手段、前記移動ロボット装置を飛行させる飛行手段、前記ユーザインタフェース装置を介して指定された点検箇所と、前記位置取得手段にて取得した現在位置とに基づいて、前記移動ロボット装置の現在位置と前記点検箇所の位置関係を示す地図データを生成する地図生成手段、及び、前記現在位置及び前記地図データに基づいて前記飛行手段を制御することにより、前記点検手段を用いて前記点検箇所の点検を実行可能な位置に、前記移動ロボット装置を自律的に移動させる自律制御手段を備え、前記ユーザインタフェース装置は、ユーザによる前記点検箇所位置の入力を受け付ける点検箇所入力手段、及び、点検箇所位置と前記点検手段の出力とを互いに関連付けて記録する点検結果記録手段を備える点検システムを提供する。
【０００７】
また、本発明は、他の一態様として、ユーザインタフェース装置、及び、当該移動ロボット装置の現在位置を取得するための位置取得手段と共に用いる移動ロボット装置であって、変状箇所に打撃を加えて点検箇所を点検する打診手段を少なくとも含む点検手段、前記移動ロボット装置を飛行させる飛行手段、前記ユーザインタフェース装置を介して指定された点検箇所と、前記位置取得手段にて取得した現在位置とに基づいて、前記移動ロボット装置の現在位置と前記点検箇所の位置関係を示す地図データを生成する地図生成手段、及び、前記現在位置及び前記地図データに基づいて前記飛行手段を制御することにより、前記点検手段を用いて前記点検箇所の点検を実行可能な位置に、前記移動ロボット装置を自律的に移動させる自律制御手段を備え、前記ユーザインタフェース装置は、ユーザによる前記点検箇所位置の入力を受け付ける点検箇所入力手段、及び、点検箇所位置と前記点検手段の出力とを互いに関連付けて記録する点検結果記録手段を備える移動ロボット装置を提供する。
【０００８】
また、本発明は、他の一態様として、点検箇所を指定するための入力をユーザインタフェース装置にて受け付ける段階、前記ユーザインタフェース装置での入力、及び、前記移動ロボット装置の現在位置に基づいて、移動ロボット装置が自律的に飛行し、前記点検箇所に移動する段階、及び、前記移動ロボット装置が備える打診手段を含む一乃至複数の点検手段を用いて、前記点検箇所を点検する段階を含む点検方法を提供する。
【発明の効果】
【０００９】
本発明によれば、打診器を備える移動飛行体を用いて打診する際、簡単な操作で所望の点検箇所の打診を行うことが可能となる。
【図面の簡単な説明】
【００１０】
【図１】本発明の一実施の形態である点検システム１のブロック図である。
【図２】移動ロボット装置２の飛行部４について説明するためのブロック図である。
【図３】移動ロボット装置２の点検部５について説明するためのブロック図である。
【図４】ユーザインタフェース装置３について説明するためのブロック図である。
【図５】点検部５の動作について説明するためのフローチャートである。
【図６】移動ロボット装置２の動作について説明するためのフローチャートである。
【図７】ユーザインタフェース装置３の動作について説明するためのフローチャートである。
【図８】打診部５１の一変形について説明するためのブロック図である。
【発明を実施するための形態】
【００１１】
本発明の一実施の形態である点検システム１について説明する。図１を参照すると、点検システム１は、移動ロボット装置２、ユーザインタフェース装置３を備える。移動ロボット装置２は、飛行部４、点検部５を備える。尚、移動ロボット装置２とユーザインタフェース装置３とは有線乃至無線データ通信回線を介してデータ通信を行うものとする。
【００１２】
移動ロボット装置２は所謂ドローンであり自律飛行する無人機である。一般に、ドローンは回転翼で揚力を発生して飛行する回転翼機が多く、特に、３つのローターを備えるトライコプター、４つのローターをもつクワッドローター等のマルチコプターが多いが、移動ロボット装置２として用いるドローンはローター数がいくつであってもよく、シングルローター式やツインローター式であってもよい。
【００１３】
また、移動ロボット装置２は必ずしも回転翼機である必要はない。移動ロボット装置２は、高所に位置する点検箇所に対し、点検部５が点検を行うことが可能であればよい。従って、飛行可能であって、かつ、点検作業を実行可能な時間だけ点検箇所付近の空中に留まることが可能であれば、移動ロボット装置２の飛行原理は問わない。回転翼機の他には、例えば気球、飛行船を移動ロボット装置２として用いることができる。
【００１４】
移動ロボット装置２は、初期に配置された位置ＰＳから、飛行部４を用いて予め入力された位置にある点検箇所に向かって飛行する。そして、点検部５を用いて点検箇所に対して点検作業を行う。そして、再び飛行部４を用いて所定の位置ＰＥ（例えば前述の初期配置された位置）に移動する。位置ＰＳから点検箇所を経て位置ＰＥに至るまでの飛行は移動ロボット装置２が自律的に行う。
【００１５】
図２に示すように、移動ロボット装置２は、位置取得部４１、地図作成部４２、自律制御部４３、駆動部４４を備える。
【００１６】
位置取得部４１は、予め定められた原点を基準としたときの移動ロボット装置２の絶対的な位置を計測するための装置である。また、位置取得部４１は、移動ロボット装置２の現在位置を基準としたときの障害物の相対的な位置を計測する。障害物とは、移動ロボット装置２が飛行する際、その飛行経路上及びその周辺に存在し、飛行を妨げる物体であり、構造物、建築物等の地上に固定されたものだけではなく、例えば鳥や他のドローン等の移動体も含む。
【００１７】
位置取得部４１は、具体的には、位置取得部４１は、慣性計測装置４５、GPS(Global Positioning System)受信機４６、トータルステーション４７、レーザスキャナ４８といった測位のためのセンサのいずれか或いはこれらの複数を備える。以下、位置取得部４１が備える測位のためのセンサを総称して測位センサと呼ぶこともある。トータルステーション４７は、自動追尾式のトータルステーションである。予め絶対位置の座標が分かっている既知点に全周プリズムを配置しておく。トータルステーション４７は、この全周プリズムを自動的に追尾して、トータルステーション４７から見た全周プリズムの相対位置及び角度を測定する。
【００１８】
位置取得部４１は更に座標演算部４９を備える。座標演算部４９は演算処理装置であり、測位センサが出力する計測データに基づいて、移動ロボット装置２の現在の位置（Ｘ，Ｙ，Ｚ)、姿勢（ロール、ピッチ、ヨー）を計算する処理を実行する。また、これらの時間微分である速度加速度、角速度、角加速度を計算する処理を実行する。これらの計算処理の結果を位置計測データとして出力する。位置計測データの出力先は地図生成部４２、自律制御部４３である。
【００１９】
地図作成部４２は演算処理装置であり、位置取得部４１から入力された位置計測データに基づいて地図データを生成する処理を実行する。地図データは移動ロボット装置２の現在位置と点検箇所の位置関係を示す。また、地図作成部４２は障害物を回避しながら点検箇所に移動ロボット装置２を誘導するための飛行経路データを生成する。点検箇所の位置は後述するようにユーザインタフェース装置３から受け取る。
【００２０】
自律制御部４３は、地図作成手段４２が生成した地図データ、飛行経路データに基づいて、駆動部４４を制御することにより、移動ロボット装置２を飛行経路データに沿って飛行させる。移動ロボット装置の飛行は、風、乱気流、障害物との接触等の外乱により、飛行経路データが定める経路を外れる場合がある。こうした移動ロボット装置２に発生する外乱を位置取得部４１により検出すると、自律制御部４３はこの乱れを解消し、移動ロボット装置２が安定して飛行するように駆動部４４を制御する。このため、ユーザは、こうした外乱の発生に対応するために移動ロボット装置２を操縦する必要はない。
【００２１】
駆動部４４は移動ロボット装置２を飛行させるための動力装置、揚力発生機構、操舵機構等からなる。具体的には、移動ロボット装置２が回転翼機の場合には、回転翼を回転させるためのエンジン或いは電動機が動力装置であり、回転翼が揚力発生機構であり、回転翼の羽根の角度を制御する機構が操舵機構である。移動ロボット装置２がマルチコプターである場合には、回転翼の回転速度を変えることが操舵機構として作用する。
【００２２】
点検部５について図３を参照して説明する。点検部５は点検箇所の状態を測定する様々なセンサからなり、特に、打診部５１を備える。打診部５１は、点検箇所を打診してその結果を取得する。本実施形態では、点検部５は、打診部５１の他に、可視カメラ５２、赤外カメラ５３、超音波センサ５４、レーダセンサ５５を備えるが、打診部５１以外のセンサについては備えなくてもよいし、或いは、これらの一部だけを備えることとしてもよい。或いは、更に他のセンサを備えることとしてもよい。点検部５は、これらの様々なセンサによる測定値と、それら測定値に基づいて判定された点検箇所毎の変状の有無を、ユーザインタフェース装置３に送信する。
【００２３】
打診部５１はハンマ部５１Ａ、アクチュエータ部５１Ｂ、集音部５１Ｃ、信号処理部５１Ｄを備える。ハンマ部５１Ａはアクチュエータ部５１Ｂによって駆動されて、点検箇所に衝突する。アクチュエータ部５１Ｂはハンマ部５１Ａが点検箇所に衝突するように駆動するためのアクチュエータである。集音部５１Ｃはハンマ部５１Ａが点検箇所に衝突したときに発生する音を集音し、集音した音に基づく音声信号を出力するマイクロフォンである。信号処理部５１Ｄは、集音部５１Ｃが出力した音声信号に対して所定の信号処理を実行することにより、点検箇所が変状箇所か否かを判定する処理を実行する処理装置である。一般に、変状箇所と変状をしていない箇所では音声データの周波数スペクトルが変化する。このことに着目して、点検箇所にハンマ部５１Ａを衝突させたときに発生する音を集音部５１Ｃにて集音し、その音声信号の周波数を分析する処理を実行する。この分析結果に基づいて点検箇所が変状箇所であるのか否かを判定することができる。
【００２４】
可視カメラ５２は撮像部５２Ａ、画像処理部５２Ｂを備える。撮像部５２Ａは、点検箇所の可視画像を撮像して可視画像信号を出力する。画像処理部５２Ｂは、撮像部５２Ａが出力した可視画像信号に対して所定の信号処理を実行することにより、点検箇所が変状箇所か否かを判定する。
【００２５】
赤外カメラ５３は撮像部５３Ａ、画像処理部５３Ｂを備える。撮像部５３Ａは、点検箇所の赤外画像を撮像して赤外画像信号を出力する。画像処理部５３Ｂは、撮像部５３Ａが出力した赤外画像信号に対して所定の信号処理を実行することにより、点検箇所が変状箇所か否かを判定する。
【００２６】
超音波センサ５４は超音波送信部５４Ａ、超音波受信部５４Ｂ、信号処理部５４Ｃを備える。超音波送信部５４Ａは点検箇所に超音波を照射する。超音波受信部５４Ｂは点検箇所で反射した超音波を受信して、その超音波に基づく信号を出力する。信号処理部５４Ｃは超音波受信部５４Ｂが出力した信号に対して所定の信号処理を実行することにより、点検箇所が変状箇所であるか否かを判定する。
【００２７】
レーダセンサ５５はレーダ送信部５５Ａ、レーダ受信部５５Ｂ、信号処理部５５Ｃを備える。レーダ送信部５５Ａは点検箇所に電波を照射する。レーダ受信部５５Ｂは点検箇所で反射した電波を受信し、その受信した電波に基づいて信号を出力する。信号処理部５５Ｃは、レーダ受信部５５Ｂが出力した信号に対して所定の信号処理を実行することにより、点検箇所が変状箇所であるか否かを判定する。
【００２８】
ユーザインタフェース装置３について図４を参照して説明する。ユーザインタフェース装置３は、複数のコンピュータからなる情報処理システムである。
【００２９】
ユーザインタフェース装置３は点検箇所入力部３１、点検結果記録部３２を備える。点検箇所入力部３１はユーザから点検箇所の指示を受け取り、点検箇所の座標等を含む点検箇所データを移動ロボット装置２へ出力する。
【００３０】
より詳しくは、点検箇所入力部３１は入力端末３１Ａ、座標計算部３１Ｂ、データベース３１Ｃ、現示端末３１Ｄを備える。
【００３１】
入力端末３１Ａは、少なくともキーボード、マウス、タッチディスプレイ等の入力装置を備えるコンピュータ、例えばパーソナルコンピュータ、ワークステーション、タブレットである。ユーザは入力端末３１Ａの入力装置を介して点検箇所を指定するための入力を行う。点検箇所の指定入力を行う際には、例えば、入力端末３１Ａの入力装置から点検箇所を特定するための番号や符号等の識別子を入力することとしてよい。または、入力端末３１Ａ或いは現示端末３１Ｄの表示装置にて、点検箇所を含む地図を表示し、その地図上にて点検箇所をマウス等のポインティングデバイスにて指定することにより、入力してもよい。
【００３２】
座標計算部３１Ｂは、入力端末３１Ａ或いは現示端末３１Ｄによって入力された点検箇所を、データベース３１Ｃに格納されているデータに基づいて、座標データに変換する処理を実行する処理装置である。この座標データの座標系は、移動ロボット装置２の位置を計算する際に用いる座標系である。
【００３３】
例えば、入力端末３１Ａで点検箇所を入力する際に、点検箇所を特定する識別子を入力する場合、座標計算部３１Ｂは次のような変換処理を行うことが考えられる。点検箇所を示す識別子と、上述の座標系における点検箇所の座標データとを、予め互いに関連付けた状態で、データベース３１Ｃに格納しておく。その上で、座標計算部３１Ｂは、変換処理において、入力端末３１Ａにて入力された識別子に対応する座標データをデータベース３１Ｃから読み出して移動ロボット装置２に渡す。
【００３４】
また、入力端末３１Ａ或いは現示端末３１Ｄで点検箇所を入力する際、その表示装置上に地図を表示して入力する場合、座標計算部３１Ｂは次のような変換処理を行うことが考えられる。入力端末３１Ａ或いは現示端末３１Ｄの表示装置に表示する地図の中における点検箇所の位置と、上述の座標系における点検箇所の座標データとを、予め互いに関連付けた状態で、データベース３１Ｃに格納しておく。ポインティングデバイスにて地図上の位置が指定されると、座標計算部３１Ｂは、指定された地図上の位置がどの点検箇所を示す入力であるのかを、データベース３１Ｃに格納した地図上の点検箇所の位置に基づいて特定し、その特定した点検箇所の座標をデータベース３１Ｃから読み出して移動ロボット装置２に渡す。
【００３５】
データベース３１Ｃはコンピュータ上で動作するデータベース管理システムである。入力端末３１Ａ、現示端末３１Ｄとハードウェアを共用することとしてもよい。
【００３６】
現示端末３１Ｄは、液晶ディスプレイ装置、CRT(Cathode Ray Tube)、有機EL(Electro Luminesence)ディスプレイ装置等の表示装置を少なくとも備えるコンピュータ、例えばパーソナルコンピュータ、ワークステーション、タブレットである。現示端末３１Ｄは、移動ロボット装置２から現在位置、点検結果データ等を受け取り、現示端末３１Ｄの表示装置にリアルタイムに表示する。
【００３７】
点検結果記録部３２は、移動ロボット装置２から送られてきた点検結果データを、点検の日付、点検の時刻、点検箇所の名称、点検箇所の座標、点検の名称等のデータと関連付けて記録する装置である。点検結果記録部３２は例えばハードディスクドライブ装置、SSD (Solid State Drive)等の読み書き可能な補助記憶装置を記録装置として備える。データベース３１Ｃと共に同じコンピュータシステム上で動作するデータベース管理システムとして構成することとしてもよい。
【００３８】
次に、点検システム１の動作について説明する。ユーザは、ユーザインタフェース装置３の点検箇所入力部３１にて、点検対象となる建造物の点検箇所を指定するための入力操作を行う。入力操作を受けた点検箇所入力部３１は、点検箇所の座標データを移動ロボット装置２に出力する。移動ロボット装置２が座標データを受け取ると、地図生成部４２は、その座標データと、位置取得部４１にて取得した移動ロボット装置２の現在位置データとに基づいて地図データを生成する。地図生成部４２は所定の時間間隔毎に地図データを更新することが好ましい。自律制御部４３は、地図生成部４２が生成乃至更新した地図データに基づいて駆動部４４を制御して、移動ロボット装置２を点検箇所に誘導する。移動ロボット装置２が点検箇所に到着すると、点検部５は点検箇所の点検を実施し、その結果として点検結果データを生成する。移動ロボット装置２は点検結果データをユーザインタフェース装置３に送信する。現示端末３１Ｄが点検結果データをユーザに対して表示すると共に、点検結果記録部３２が点検結果データを記録する。
【００３９】
点検部５が行う点検動作について図５を参照して説明する。最初に、点検部５は、打診部５１、可視カメラ５２、赤外カメラ５３、超音波センサ５４、レーダセンサ５５の中から、点検に使用するセンサを選択する（ステップＳ５０１）。ここで行う選択は、ユーザインタフェース装置３でのユーザの入力操作に応じることとしてもよいし、予め定められた順に、これらセンサの一部乃至全部を、一の点検箇所に対して連続して使用することとしてもよい。ここでは、これらセンサをそれぞれ選択したときの動作について説明する。
【００４０】
打診部５１を選択した場合（ステップＳ５０２）、アクチュエータ部５１Ｂを作動させて、ハンマ部５１Ａを点検箇所に衝突させる（ステップＳ５０３）。次に、その衝突により発生した衝突音を集音部５１Ｃで集音し、音声データを生成する（ステップＳ５０４）。生成した音声データを信号処理部５１Ｄで信号処理することにより、その点検箇所が変状しているか否かを判定する、即ち、変状判定を行う（ステップＳ５０５）。
【００４１】
変状判定は、例えば、音声データの周波数を分析することにより行うことができる。一般に、変状した箇所と変状していない箇所では、音声データの周波数スペクトルが変化する。これを利用して、変状する前（例えば点検箇所を含む建造物の完成直後）に、各点検箇所の音声データの周波数スペクトルを基準値として測定、記録しておく。そして、記録してある基準値と、ステップＳ５０４で生成した音声データの周波数スペクトルとを比較することにより、変状したか否かを判定する。この方法で変状判定を行う場合、各点検箇所の基準値を記憶した記憶装置を点検システム１のどこかに備える。この記憶装置は例えば信号処理部５１Ｄが備えることとしてもよい。或いは、ユーザインタフェース装置３に設けた記憶装置に記憶することとして、必要に応じて、この記憶装置から信号処理部５１Ｄが基準値を読み出すこととしてもよい。その際、基準値はデータベース３１Ｃや点検結果記録部３２と共に同じ記憶装置に記憶してもよいし、別の記憶装置に記憶してもよい。
【００４２】
次に、ステップＳ５０４にて生成した音声データと、ステップＳ５０５の変状判定の結果とを、その点検箇所の点検結果データとしてユーザインタフェース装置３に送信する（ステップＳ５０６）。ユーザインタフェース装置３は受信した点検結果データを点検結果記録部３２に記録する（ステップＳ５０７）。その際、点検を実行した日時、使用したセンサの種類（この場合は打診部５１）を関連付けて記録する。
【００４３】
可視カメラ５２を選択した場合（ステップＳ５１１）、点検部５は点検箇所の可視画像を撮像部５２Ａで撮像し、画像データを生成する（ステップＳ５１２）。次に、その画像データに対し、撮像した点検箇所が変状箇所か否かを判定する画像処理を、画像処理部５２Ｂにて実行する（ステップＳ５１３）。
【００４４】
ステップＳ５１３の画像処理では、点検箇所を可視光線で眺めたときの外観上の変状の有無を判定する。具体的には、例えば、点検箇所の画像内にひび割れた箇所があるか否かを判定する。ひび割れの有無を判定する際には、点検箇所の画像に対して微分処理を施すことにより、画像内のエッジを強調して行うことが好ましい。
【００４５】
ステップＳ５１２で生成した画像データと、ステップＳ５１３での判定結果とを、その点検箇所の点検結果データとしてユーザインタフェース装置３に送信する（ステップＳ５１４）。ユーザインタフェース装置３は受信した点検結果データを点検結果記録部３２に記録する（ステップＳ５０７）。その際、点検を実行した日時、使用したセンサの種類（この場合は可視カメラ５２）を関連付けて記録する。
【００４６】
赤外カメラ５３を選択した場合（ステップＳ５２１）、点検箇所の赤外画像を撮像部５３Ａで撮像し、画像データを生成する（ステップＳ５２２）。次に、その画像データに対し、撮像した点検箇所が変状箇所か否かを判定する画像処理を、画像処理部５３Ｂにて実行する（ステップＳ５２３）。
【００４７】
ステップＳ５２３の画像処理では、点検箇所を赤外線で眺めたときの外観上の変状の有無を判定する。例えば、コンクリートの浮き等によって、本来は存在しないはずの空気の層が外壁内部に存在する変状が発生する場合がある。浮きがある箇所では、空気の層の存在により蓄熱しやすくなる。このため浮きがある箇所とない箇所で温度差が発生する。これを利用して、赤外画像から点検箇所の温度分布を測定し、周囲よりも温度が高い箇所があれば、その箇所に浮きがある可能性があると判定することができる。
【００４８】
ステップＳ５２２で生成した赤外画像データと、ステップＳ５２３での判定結果とを、その点検箇所の点検結果データとしてユーザインタフェース装置３に送信する（ステップＳ５２４）。ユーザインタフェース装置３は受信した点検結果データを点検結果記録部３２に記録する（ステップＳ５０７）。その際、点検を実行した日時、使用したセンサの種類（この場合は赤外カメラ５３）を関連付けて記録する。
【００４９】
超音波センサ５４を選択した場合（ステップＳ５３１）、移動ロボット装置２は、点検箇所に超音波送信部５４Ａと超音波受信部５４Ｂとを接触させる（ステップＳ５３２）。次に、超音波送信部５４Ａから点検箇所に対して超音波を発射し、その反射波を超音波受信部５４Ｂで受信し、反射波データとして出力する（ステップＳ５３３）。反射波データに基づいて、信号処理部５４Ｃは点検箇所が変状箇所か否かを判定する（ステップＳ５３４）。
【００５０】
コンクリート内部の鉄筋等が腐食すると、隙間が発生して空気が入ることがある。このような隙間が内部に存在する箇所では超音波が反射しやすい。これを利用して外壁の内部に隙間があるか否かを判定する。例えば、打診部５１の基準値と同様に、変状する前（例えば点検箇所を含む建造物の完成直後）に、各点検箇所の反射波データを基準値として測定、記録しておく。そして、記録してある基準値と、ステップＳ５３３で生成した反射波データとを比較することにより、内部に隙間があるか否かを判定する。この方法で判定する場合、各点検箇所の基準値を記憶した記憶装置を点検システム１のどこかに備える。この記憶装置は例えば信号処理部５４Ｃが備えることとしてもよい。或いは、ユーザインタフェース装置３に設けた記憶装置に記憶することとして、必要に応じて、この記憶装置から信号処理部５４Ｃが基準値を読み出すこととしてもよい。その際、基準値はデータベース３１Ｃや点検結果記録部３２と共に同じ記憶装置に記憶してもよいし、別の記憶装置に記憶してもよい。
【００５１】
ステップＳ５３３で生成した反射波データと、ステップＳ５３４での判定結果とを、その点検箇所の点検結果データとしてユーザインタフェース装置３に送信する（ステップＳ５３５）。ユーザインタフェース装置３は受信した点検結果データを点検結果記録部３２に記録する（ステップＳ５０７）。その際、点検を実行した日時、使用したセンサの種類（この場合は超音波センサ５４）を関連付けて記録する。
【００５２】
レーダセンサ５５を選択した場合（ステップＳ５４１）、点検箇所にレーダ送信部５５Ａとレーダ受信部５５Ｂを向ける（ステップＳ５４２）。次にレーダ送信部５５Ａから点検箇所に電波を送信し、レーダ受信部５５Ｂで反射波を受信し、反射波データを生成する（ステップＳ５４３）。次に信号処理部５５Ｃにて、反射波データに基づいてその点検箇所が変状箇所かどうかを判定する（ステップＳ５４４）。
【００５３】
コンクリート内部の鉄筋等が腐食すると、隙間が発生して空気が入ることがある。このような隙間が内部に存在する箇所では、超音波と同様に、電波も反射しやすい。これを利用して外壁の内部に隙間があるか否かを判定する。例えば、打診部５１の基準値と同様に、変状する前（例えば点検箇所を含む建造物の完成直後）に、各点検箇所の反射波データを基準値として測定、記録しておく。そして、記録してある基準値と、ステップＳ５４３で生成した反射波データとを比較することにより、内部に隙間があるか否かを判定する。この方法で判定する場合、各点検箇所の基準値を記憶した記憶装置を点検システム１のどこかに備える。この記憶装置は例えば信号処理部５５Ｃが備えることとしてもよい。或いは、ユーザインタフェース装置３に設けた記憶装置に記憶することとして、必要に応じて、この記憶装置から信号処理部５５Ｃが基準値を読み出すこととしてもよい。その際、基準値はデータベース３１Ｃや点検結果記録部３２と共に同じ記憶装置に記憶してもよいし、別の記憶装置に記憶してもよい。
【００５４】
ステップＳ５４３で生成した反射波データと、ステップＳ５４４での判定結果とを、その点検箇所の点検結果データとしてユーザインタフェース装置３に送信する（ステップＳ５４５）。ユーザインタフェース装置３は受信した点検結果データを点検結果記録部３２に記録する（ステップＳ５０７）。その際、点検を実行した日時、使用したセンサの種類（この場合はレーダセンサ５５）を関連付けて記録する。
【００５５】
次に、移動ロボット装置２の動作について図６を参照して説明する。ユーザが移動ロボット装置２を起動する（ステップＳ６０１）と、移動ロボット装置２は自システムの起動チェックを実行する（ステップＳ６０２）。ユーザがユーザインタフェース装置３を介して点検箇所を一乃至複数入力し、ユーザインタフェース装置３が入力された各点検箇所の座標データを自律制御部４３に渡す（ステップＳ６０３）と、自律制御部４３は、各点検箇所へ誘導する一連の飛行経路を生成し、飛行ミッションとして登録する（ステップＳ６０４）。
【００５６】
この状態で、ユーザから、ユーザインタフェース装置３を介して、点検箇所への誘導開始の命令が入力される（ステップＳ６０５）と、自律制御部４３は、駆動部４４を制御することにより、移動ロボット装置２を自律的に離陸させる（ステップＳ６０６）。続いて、自律制御部４３は、ステップＳ６０４にて登録した飛行ミッションに従って、移動ロボット装置２を点検箇所に誘導する。その際、位置取得部４１は定期的に移動ロボット装置２の現在位置を取得する。また、位置取得部４１の現在位置の取得に応じて、地図生成部４２は、ステップＳ６０３で受け取った点検箇所の座標データと現在位置とに基づいて、地図データを生成・更新する。
【００５７】
この地図データとステップＳ６０４で登録した飛行ミッションに基づいて、自律制御部４３は、移動ロボット装置２を各点検箇所に順次誘導する。各点検箇所において、移動ロボット装置２は、点検部５による点検作業を行う。その際、点検作業を実行した時刻情報を取得し、記録しておく。飛行ミッションの実行中、自律制御部４３は、位置取得部４１の測位結果と、地図生成部４２の地図データに基づいて、移動ロボット装置２の飛行安定性を保ちつつ、前述の飛行経路に沿って移動ロボット装置２を誘導制御する（ステップＳ６０７、Ｓ６０８）。
【００５８】
登録した飛行ミッションが全て完了すると、自律制御部４３は移動ロボット装置２を自律的に着陸させる（ステップＳ６０９）。飛行ミッション中に各点検箇所にて取得した点検結果データは、取得のたびに有線乃至無線データ通信を行って点検結果記録部３２に記録することとしてもよいし、或いは、移動ロボット装置２が備える記憶装置に格納し、飛行ミッションが完了した後、移動ロボット装置２とユーザインタフェース装置３とを有線乃至無線データ通信回線で接続して、点検結果記録部３２に記録することとしてもよい（ステップＳ６１０）。この後、ユーザがユーザインタフェース装置３を介して入力する命令に従って、自律制御部４３は移動ロボット装置２のシャットダウンを実行する（ステップＳ６１１）。
【００５９】
次に、ユーザインタフェース装置３の動作について図７を参照して説明する。ユーザは、入力端末３１Ａを介して、点検日、点検名称、点検で使用するセンサ（打診部５１に加えて、可視カメラ５２、赤外カメラ５３、超音波センサ５４、レーダセンサ５５のうちの一乃至複数）などの点検作業諸元を入力する（ステップＳ７０１）。また、ユーザはユーザインタフェース装置３に対し、点検箇所を指定するための入力を行う。この入力は、ユーザが入力端末３１Ａを介して、点検箇所の識別子又は点検箇所の座標データを入力することとしてもよい。或いは、現示端末３１Ｄの表示装置に表示した地図上の点を、ユーザがポインティングデバイス等で指定することによって入力することとしてもよい（ステップＳ７０２、Ｓ７０３）。尚、入力端末３１Ａ、現示端末３１Ｄの表示装置に地図を表示する場合には、地図上で各点検箇所に対応するようにして、その点検箇所にある点検対象を示す図、写真等を表示することが好ましい。このような表示をすることにより、ユーザが点検箇所を誤って指定するのを避けることができる。
【００６０】
点検箇所の座標が直接入力された場合、ユーザインタフェース装置３は、その座標をそのまま座標データとして移動ロボット装置２に渡す。点検箇所を識別子にて指定した場合、座標計算部３１Ｂは、データベース３１Ｃに格納されているデータを参照して、指定された識別子が示す点検箇所に予め関連付けられている座標データを取得し、移動ロボット装置２に渡す（ステップＳ７０４）。点検箇所を地図上の点として指定した場合、座標計算部３１Ｂは、その点の地図上での座標を、データベース３１Ｃに予め格納している、地図上における各点検箇所の座標とを比較する。そして、指定した点に最も近い位置にある点検箇所が指定されたものと判定し、その点検箇所の座標データをデータベース３１Ｃから読み出して、移動ロボット装置２に渡す（ステップＳ７０５）。
【００６１】
座標計算部３１Ｂは、移動ロボット装置２に各点検箇所の座標データを渡すと共に、現示端末３１Ｄにもそれら点検箇所の座標データを渡す。現示端末３１Ｄは、移動ロボット装置２の現在位置と、それら点検箇所の位置関係を表示装置に表示する（ステップＳ７０６）。この表示を見て、ユーザは意図した点検箇所が正しく指定されているか確認することができる。
【００６２】
この後、移動ロボット装置２は図６のフローチャートに従って動作して、自律的に飛行して、各点検箇所で点検結果データを取得し、有線乃至無線データ通信回線を介してユーザインタフェース装置３に送信する。点検結果データを受信する（ステップＳ７０７）と、ユーザインタフェース装置３は、現示端末３１Ｄの表示装置に点検結果データを表示する。また、ユーザインタフェース装置３は、点検結果データと、点検日、点検名称、点検で使用するセンサ、点検時刻、点検箇所の座標を関連付けて点検結果記録部３２に記録する（ステップＳ７０８、Ｓ７０９）。
【００６３】
点検システム１によれば、移動ロボット装置２は、予めユーザインタフェース装置３にて指定された点検箇所に、自律的に飛行して、点検結果データを取得する。このため、ユーザは、移動ロボット装置２を点検箇所に誘導するための操縦操作を行う必要がない。このため、ユーザの技量に左右されることなく点検結果を得ることができる。また、移動ロボット装置２の操縦が自律的に行われるため、飛行の過程でユーザが判断する必要がなく、結果として点検作業の時間を短縮することができる。
【００６４】
以上、本発明を実施の形態に即して説明したが、本発明はこれに限定されるものではない。点検システム１には様々な変形が考えられる。例えば、上述の点検システム１は、点検部５として、打診部５１、可視カメラ５２、赤外カメラ５３、超音波センサ５４、レーダセンサ５５を備えているものとして説明したが、他のセンサを備えることとしてもよい。
【００６５】
例えば、上述の説明では、打診部５１は、ハンマ部５１Ａの衝突による影響を、集音部５１Ｃにて音として入力したが、他の形で入力するセンサを備えることとしてもよい。具体的には、図８に示すように、打診部５１は、振動センサ５１Ｅ、力覚センサ５１Ｆを更に備えるようにすることが考えられる。或いは、打診部５１は、振動センサ５１Ｅ、力覚センサ５１Ｆのいずれかを備えることとしてもよいし、集音部５１Ｃ、振動センサ５１Ｅ、力覚センサ５１Ｆのうち２つの２つの組み合わせであってもよい。
【００６６】
振動センサ５１Ｅは、点検の際、ハンマ部５１Ａが点検箇所に衝突するよりも前に、点検箇所或いはその近傍に接触させておく。振動センサ５１Ｅを接触させておく位置は、ハンマ部５１Ａの衝突位置の近傍であって、かつ、ハンマ部５１Ａと接触しないような位置が好ましい。このように振動センサ５１Ｅを接触させた状態で、アクチュエータ部５１Ｂにてハンマ部５１Ａを点検箇所に衝突させる。衝突により、点検対象となっている建築物の点検箇所及びその周辺には振動が発生する。この振動を振動センサ５１Ｅにて測定し、振動データとして出力する。振動データは、点検箇所に変状がある場合とない場合とで異なる。これを利用して、変状がないときの各点検箇所の振動データを、例えばデータベース３１Ｃに基準値として予め格納しておき、その基準値と、点検時の振動センサ５１Ｅが生成した振動データとを比較することにより、変状の有無を判定することができる。
【００６７】
力覚センサ５１Ｆも、点検に先立って、振動センサ５１Ｅと同様の位置に接触させておき、ハンマ部５１Ａによって点検箇所近傍に伝達される力の大きさを測定する。力覚センサ５１Ｆが出力する力覚データも、振動センサ５１Ｅが出力する振動データと同様に、点検箇所に変状がある場合とない場合とで異なる。変状の有無の判定方法も上述の振動センサ５１Ｅと同様である。
【００６８】
また、上述の点検システム１では、ユーザインタフェース装置３を複数のコンピュータからなる情報処理システムとして説明したが、単独のコンピュータ装置をユーザインタフェース装置３として用いることとしてもよい。
【００６９】
また、上述の点検システム１では、移動ロボット装置２は位置取得部４１を備え、位置取得部４１は移動ロボット装置２と共に移動することとして説明していたが、位置取得部４１を移動ロボット装置２の外部に配置することとしてもよい。例えば、予め座標が分かっている既知点に配置した測定装置を用いて、移動ロボット装置２を自動追尾しながら、移動ロボット装置２の位置を定期的に或いは継続的に測定し、その測定装置（既知点）の絶対座標と、その測定装置から見た移動ロボット装置２の相対座標とに基づいて移動ロボット装置２の絶対座標を求める。この測定装置は、自装置から見た移動ロボット装置２の相対座標を定期的に或いは継続的に求め、有線乃至無線データ通信回線を介して、移動ロボット装置２の座標演算部４９に送信する。座標演算部４９は、受信した相対座標と、移動ロボット装置２の記憶装置に予め記憶した、既知点の絶対座標とに基づいて、移動ロボット装置２の絶対座標を求める。この種の測定装置として例えば自動追尾式のトータルステーションを用いることが考えられる。自動追尾式のトータルステーションを既知点に配置する一方、移動ロボット装置２の例えば下部に全周プリズムを配置する。トータルステーションから測定した移動ロボット装置２の相対位置と角度と、トータルステーションを配置した既知点の絶対位置を、測位データとして有線乃至無線データ通信回線を介して移動ロボット装置２に送信する。移動ロボット装置２では、受信した測位データに基づいて座標演算部４９が移動ロボット装置２の現在位置を計算する。
【００７０】
また、上述の点検システム１では、移動ロボット装置２とユーザインタフェース装置３とは無線データ通信回線を介してデータ通信を行うものとするものとして説明したが、データ通信を行う際に用いる回線は、必ずしも無線回線である必要はなく、有線回線であってもよい。飛行ミッションの間、移動ロボット装置２とユーザインタフェース装置３の間はケーブルで接続され、そのケーブルの中にデータ通信回線を含むことになる。駆動部４４の動力源として電動モーターを用いることができるが、その場合には、このケーブルの中に電力供給線を更に含むこととしてもよい。
【００７１】
上記の実施形態の一部又は全部は以下の付記のようにも記載されうるが、これらに限定されるものではない。
【００７２】
（付記１）
移動ロボット装置、ユーザインタフェース装置、及び、前記移動ロボット装置の現在位置を取得するための位置取得手段を備え、
前記移動ロボット装置は、
変状箇所に打撃を加えて点検箇所を点検する打診手段を少なくとも含む点検手段、
前記移動ロボット装置を飛行させる飛行手段、
前記ユーザインタフェース装置を介して指定された点検箇所と、前記位置取得手段にて取得した現在位置とに基づいて、前記移動ロボット装置の現在位置と前記点検箇所の位置関係を示す地図データを生成する地図生成手段、及び、
前記現在位置及び前記地図データに基づいて前記飛行手段を制御することにより、前記点検手段を用いて前記点検箇所の点検を実行可能な位置に、前記移動ロボット装置を自律的に移動させる自律制御手段を備え、
前記ユーザインタフェース装置は、
ユーザによる前記点検箇所位置の入力を受け付ける点検箇所入力手段、及び、
点検箇所位置と前記点検手段の出力とを互いに関連付けて記録する点検結果記録手段を備える点検システム。
【００７３】
（付記２）
前記打診手段に加えて、可視カメラ、赤外カメラ、超音波センサ、振動センサ、力覚センサ、レーダセンサの少なくともひとつを点検手段として備える、付記１に記載の点検システム。
【００７４】
（付記３）
前記位置取得手段は、慣性計測装置、レーザスキャナ、GPS(Global Positioning System)受信機、トータルステーションの少なくともひとつを備え、
前記位置取得手段の少なくとも一部は、前記移動ロボット装置に搭載される付記１又は付記２に記載の点検システム。
【００７５】
（付記４）
前記打診手段は、
前記点検箇所に衝突するハンマと、
前記ハンマを駆動して、前記点検個所に衝突させるアクチュエータと、
前記ハンマが前記点検箇所に衝突したときの影響を測定するための打診センサと
を備える、付記１乃至付記３のいずれかに記載の点検システム。
【００７６】
（付記５）
前記打診センサは、
前記ハンマが前記点検箇所に衝突したときに発生する音を集音するためのマイクロフォン、
前記ハンマが前記点検箇所に衝突したときに前記点検箇所に発生する振動を測定するための振動センサ、
前記ハンマが前記点検箇所に衝突したときに前記点検箇所を介して伝達される力の大きさを測定するための力覚センサ
のうち、少なくともひとつを備える、付記４に記載の点検システム。
【００７７】
（付記６）
ユーザインタフェース装置、及び、当該移動ロボット装置の現在位置を取得するための位置取得手段と共に用いる移動ロボット装置であって、
変状箇所に打撃を加えて点検箇所を点検する打診手段を少なくとも含む点検手段、
前記移動ロボット装置を飛行させる飛行手段、
前記ユーザインタフェース装置を介して指定された点検箇所と、前記位置取得手段にて取得した現在位置とに基づいて、前記移動ロボット装置の現在位置と前記点検箇所の位置関係を示す地図データを生成する地図生成手段、及び、
前記現在位置及び前記地図データに基づいて前記飛行手段を制御することにより、前記点検手段を用いて前記点検箇所の点検を実行可能な位置に、前記移動ロボット装置を自律的に移動させる自律制御手段を備え、
前記ユーザインタフェース装置は、
ユーザによる前記点検箇所位置の入力を受け付ける点検箇所入力手段、及び、
点検箇所位置と前記点検手段の出力とを互いに関連付けて記録する点検結果記録手段を備える
移動ロボット装置。
【００７８】
（付記７）
前記打診手段に加えて、可視カメラ、赤外カメラ、超音波センサ、振動センサ、力覚センサ、レーダセンサの少なくともひとつを点検手段として備える、付記６に記載の移動ロボット装置。
【００７９】
（付記８）
前記位置取得手段は、慣性計測装置、レーザスキャナ、GPS(Global Positioning System)受信機、トータルステーションの少なくともひとつを備え、
前記位置取得手段の少なくとも一部は、前記移動ロボット装置に搭載される
付記６又は付記７に記載の移動ロボット装置。
【００８０】
（付記９）
前記打診手段は、
前記点検箇所に衝突するハンマと、
前記ハンマを駆動して、前記点検個所に衝突させるアクチュエータと、
前記ハンマが前記点検箇所に衝突したときの影響を測定するための打診センサと
を備える、付記６乃至付記８のいずれかに記載の移動ロボット装置。
【００８１】
（付記１０）
前記打診センサは、
前記ハンマが前記点検箇所に衝突したときに発生する音を集音するためのマイクロフォン、
前記ハンマが前記点検箇所に衝突したときに前記点検箇所に発生する振動を測定するための振動センサ、
前記ハンマが前記点検箇所に衝突したときに前記点検箇所を介して伝達される力の大きさを測定するための力覚センサ
のうち、少なくともひとつを備える、付記９に記載の移動ロボット装置。
【００８２】
（付記１１）
点検箇所を指定するための入力をユーザインタフェース装置にて受け付ける段階、
前記ユーザインタフェース装置での入力、及び、前記移動ロボット装置の現在位置に基づいて、移動ロボット装置が自律的に飛行し、前記点検箇所に移動する段階、及び、
前記移動ロボット装置が備える打診手段を含む一乃至複数の点検手段を用いて、前記点検箇所を点検する段階を含む点検方法。
【００８３】
（付記１２）
前記移動ロボット装置は、前記打診手段に加えて、可視カメラ、赤外カメラ、超音波センサ、振動センサ、力覚センサ、レーダセンサの少なくともひとつを点検手段として備え、
前記点検段階において、前記移動ロボット装置は、前記打診手段による点検に加えて、前記打診手段以外の点検手段を用いて点検を行う
付記１１に記載の点検方法。
【００８４】
（付記１３）
前記移動ロボット装置の現在位置を、慣性計測装置、レーザスキャナ、GPS(Global Positioning System)受信機、トータルステーションの少なくともひとつを用いて取得する、付記１１又は付記１２に記載の点検方法。
【００８５】
（付記１４）
前記打診手段による点検は、アクチュエータによって駆動したハンマを前記点検箇所に衝突させて、衝突により生じた影響をセンサによって測定する段階を含む、付記１１乃至付記１３のいずれかに記載の点検方法。
【００８６】
（付記１５）
前記センサによる測定は、
前記ハンマが前記点検箇所に衝突したときに発生する音をマイクロフォンによって集音する段階、
前記ハンマが前記点検箇所に衝突したときに前記点検箇所に発生する振動を振動センサによって測定する段階、
前記ハンマが前記点検箇所に衝突したときに前記点検箇所を介して伝達される力の大きさを力覚センサによって測定する段階
のうち、少なくともひとつを含む、付記１４に記載の点検方法。
【符号の説明】
【００８７】
１  点検システム
２  移動ロボット装置
３  ユーザインタフェース装置
４  飛行部
５  点検部
３１  点検個所入力部
３１Ａ  入力端末
３１Ｂ  座標計算部
３１Ｃ  データベース
３１Ｄ  現示端末
３２  点検結果記録部
４１  位置取得部
４２  地図生成部
４３  自律制御部
４４  駆動部
４５  慣性計測装置
４６  GPS受信機
４７  トータルステーション
４８  レーザスキャナ
４９  座標演算部
５１  打診部
５１Ａ  ハンマ部
５１Ｂ  アクチュエータ部
５１Ｃ  集音部
５１Ｄ、５４Ｃ、５５Ｃ  信号処理部
５１Ｅ  振動センサ
５１Ｆ  力覚センサ
５２  可視カメラ
５２Ａ、５３Ａ  撮像部
５２Ｂ、５３Ｂ  画像処理部
５３  赤外カメラ
５４  超音波センサ
５４Ａ  超音波送信部
５４Ｂ  超音波受信部
５５  レーダセンサ
５５Ａ  レーダ送信部
５５Ｂ  レーダ受信部
【図１】
2017227632.tif 000003
【図２】
2017227632.tif 000004
【図３】
2017227632.tif 000005
【図４】
2017227632.tif 000006
【図５】
2017227632.tif 000007
【図６】
2017227632.tif 000008
【図７】
2017227632.tif 000009
【図８】
2017227632.tif 000010